(57)【要約】【目的】ガスメータ回りの配管部材とねじこみ数を少なくする配管装置を得る。【構成】メータ入管２とメータ出管３の上端にガス栓１３とヘッダー１５を取り付け、前記メータ入管２側に、上部に開閉ハンドル１３Ａを取り付けると共に、下図に前記メータ入管２に対する接続入口１３Ｂを設け、水平方向に接続出口１３Ｃを成形し、内部に栓１３Ｄを組み込んだ元栓用のガス栓１３を取り付け、更にメータ出管３側には、上部に分岐口１５Ａまたは検圧口１５Ｃを設け、下面に前期メータ出管３に対する接続出口１５Ｂを形成し、水平方向に接続入口１５Ｄあるいは並列に検圧口１５Ｃを有するヘッダー１５を取り付け、接続出口１３Ｃに入側継手１４とナット８を組合せ、接続入口１５Ｄに出側継手１６とナット９を組合せ、ガスメータ口金１０、１１と嵌合してガスメータを取り付ける装置。【選択図】        図１
2004205485.tif 000002
【特許請求の範囲】
【請求項１】
メータ入管の上端にガス栓を取り付け、ガス出管の上端にヘッダーを取り付けたガスメータ回りの配管装置であって、上部に開閉ハンドルを取り付けると共に、下部に前記メータ管に対する接続入口を設け、水平方向に向けて接続出口を形成する前記ガス栓と、上部に検圧口を設け、下部に前記メータ出管に対する接続出口を形成し、水平方向に接続入口を有する前記ヘッダーとを有し、ガスメータの入側口金と前記ガス栓の接続出口を接続し、出側口金と前記ヘッダーの接続入口を接続することを特徴とするガスメータ回りの配管装置。
【請求項２】
メータ入管の上端にガス栓を取り付け、ガス出管の上端にヘッダーを取り付けたガスメータ回りの配管装置であって、上部に開閉ハンドルを取り付けると共に、下部に前記メータ管に対する接続入口を設け、水平方向に向けて接続出口を形成する前記ガス栓と、上部に分岐口を設け、下部に前記メータ出管に対する接続出口を形成し、水平方向に検圧口と並列に接続入口を有する前記ヘッダーとを有し、ガスメータの入側口金と前記ガス栓の接続出口を接続し、出側口金と前記ヘッダーの接続入口を接続することを特徴とするガスメータ回りの配管装置。
【発明の詳細な説明】
【０００１】
【産業上の利用分野】本発明は、一般家庭用のガスメータ回りの配管装置に関する。
【０００２】
【従来の技術】
図４は、従来のガスメータの設置状況を示すものであって、１はガスメータ、２はメータ入管、３はメータ出管、４はメータ入管２の途中に取り付けられたガス栓、５は入側水平向きエルボ、６は入側下向きエルボ、７は出側水平向きエルボ、８は出側下向きエルボ、９は入側ナット、１０は出側ナット、１１は入側口金、１２は出側口金である。この従来例において、ガスメータ１を設置する場合には、地中から立ち上げたメータ入管２に対してガス栓４を回転させてネジ接合すると共に、メータ入管２とメータ出管３の上端に、水平向きエルボ５・７を接続し、更にこのエルボ５・７に下向きエルボ６・８の入側ナット９と出側ナット１０を入側口金１１と出側口金１２に接続することにより、ガスメータ１をメータ入管２と出管３に対して吊り下げるようにして取り付けるものである。
メータ出管３側には、検圧継手１７や分岐継手１８が付いている場合が一般的である。特許文献１に記載されたガスメータ接続用継手で入管、出管を一体としたユニットにおいて、ガスの流入口が上向きとなっていることを特徴とする。
【０００３】
【特許文献１】
特開２００２−２８６５２４号公報
【０００４】
【発明が解決しようとする課題】
図４の従来のガスメータ回りの配管方法では、入側ガス栓４から出側分岐継手１８までの部材数（図中１１ヶ）、ねじこみ数（図中９ヶ）が多くなり、経済面、施工性の両面で問題があり、改善が求められている。上記問題を解決する手段として、特願平７−５１０８７の提案もあるが、この方法では重量物のガス栓がガスメータ口金上に取り付いているので、地震等での外力に対してメータ入管の強度や固定を十分にしておく必要がある。また出側継手に意願平８−２７６００の提案のように検圧口を設ける案もあるが、この方法ではメータ出管の中心から離れたところでの作業となり、作業の不安定さが問題となる。本発明は、上記課題を解決するのが目的である。
【０００５】
【課題を解決するための手段】
上記目的を達成するために、本発明のガスメータ回りの配管は、メータ入管の上端にガス栓を取り付け、ガス出管の上端にヘッダーを取り付けたガスメータ回りの配管装置であって、上部に開閉ハンドルを取り付けると共に、下部に前記メータ管に対する接続入口を設け、水平方向に向けて接続出口を形成する前記ガス栓と、上部に分岐口または検圧口を設け、下部に前記メータ出管に対する接続出口を形成し、水平方向に接続入口あるいは並列に検圧口を有する前記ヘッダーとを有し、ガスメータの入側口金と前記ガス栓の接続出口を接続し、出側口金と前記ヘッダーの接続入口を接続することを特徴とするものである。
【０００６】
【作用】
ガスは、メータ入管から上端に取り付けたガス栓の水平方向の接続出口から入側継手、ナットを経由してガスメータ内に入り、計量後ナット、出側継手からヘッダーの接続入口を経由してメータ出管を通り、屋内配管を経由してガス器具に至る。ヘッダーには接続入口が有り、あるいは並列に検圧口が有り、上部には分岐口または検圧口が設けられている。元栓用のガス栓は、正面上側からそのハンドルを摘んで開閉操作を行うことにより、ガスを流したり止めたりすることができ、これは、公知の元栓（メータガス栓）の機能である。
【０００７】
【実施例】
図１〜図３にもとづいて本発明に係わるガスメータ回りの配管装置について、その構造を詳述する。図１はガスメータ１を設置した状況を示す三面図であって、２はメータ入管、３はメータ出管、１３はガス栓、１５はヘッダー、１４は入側継手、９はナット、１１は入側口金でガスメータ１とつながり、１６は出側継手、１０はナット、１２は出側口金でガスメータ１とつながっている。１３はメータ入管２と入側継手１４の接続を兼ねた元栓用のガス栓であって、このガス栓１３の詳細な構造を図２に基づいて説明する。１３Ｄはガス栓本体、１３Ｂはガス栓本体１３Ｄの下面に設けた接続入口、１３Ｃはガス栓本体１３Ｄの水平方向に向けて設けた接続出口であって、この接続出口１３Ｃと前記接続入口１３ＢはＬ字状のガス流路１３Ｅにより連通されている。１３Ｆは前記ガス流路１３Ｅに対して垂直に組み込まれた栓（閉子）であって、この栓１３Ｆ内にはＬ字状の開閉流路１３Ｇが形成されている。
１３Ａは前記栓１３Ｆを回転（開閉）するためのハンドルであって、このハンドル１３Ａはガス栓本体１３Ｄの上部に取り付けられている。１４はガス栓１３の接続出口１３Ｃに取り付ける入側継手でＬ字形をしており、下面にガスメータの入側口金１１に接続するナット９を嵌合している。同様にガスメータ１の出側口金１２にはナット１０が嵌合し、Ｌ字形の出側継手１６を経由してヘッダー１５の接続入口１５Ｄにつながる。ヘッダー１５は水平方向の接続入口１５Ｄと並列してすじ上に検圧口１５Ｃを有し、上部には湯沸器等への分岐口１５Ａを設け、下面にはメータ出管３に対する接続出口１５Ｂが形成されている。または図４のようにヘッダー１５は水平方向の接続入口１５Ｄを有し、上部には検圧口１５Ｃを設け、下面にはメータ出管３に対する接続出口１５Ｂが形成されていてもよい。
【０００８】
【発明の効果】
本発明は以上のように、メータ入管の上端にガス栓を、メータ出管の上端にヘッダーを取り付けることにより、次の効果がある。
１．ガス栓と入側継手が、ヘッダーと出側継手が直接接続され、かつヘッダーに検圧口や分岐用接続口が一体となって設けられたことにより。入側ガス栓１３から出側分岐継手１５（ヘッダー）までの部材数（図中６ヶ）、ねじこみ数（図中５ヶ）が、従来配管に比べて半分近くに減少し、経済面や施工性の改善効果が顕著である。
２．ガス栓部がメータ入管の直上に、検圧口がヘッダーと一体となってメータ出管の直上にあり、重量物がガスメータサイドに負荷となっていないので、地震等の外力作用時もガスメータに無理な力がかかりにくい。
【図面の簡単な説明】
【図１】本説明に係わるガスメータ回り配管装置の説明図
【図２】ガス栓部の断面図
【図３】ヘッダー部の断面図
【図４】他のヘッダー部の断面図
【図５】従来のガスメータの設置例の説明図
【符号の説明】
１：ガスメータ
２：メータ入管
３：メータ出管
４：ガス栓
５、７：水平向きエルボ
６、８：下向きエルボ
９、１０：ナット
１１：入側口金
１２：出側口金
１３：ガス栓
１４：入側継手
１５：ヘッダー
１６：出側継手
１７：検圧継手
１８：分岐継手
【図１】
2004205485.tif 000003
【図２】
2004205485.tif 000004
【図３】
2004205485.tif 000005
【図４】
2004205485.tif 000006
【図５】
2004205485.tif 000007